(57)【要約】【課題】検出用マーカーを構成するドットが目立たず、被印刷媒体上に印刷された絵柄や文字などの視覚認識情報の意匠性、および当該情報の視認性を良好に確保できる、実用利便性に優れた手書き情報入力装置用の印刷体を提供する。【解決手段】被印刷媒体２３上の所定位置に、絵柄や文字などの視覚認識情報を構成する第１印刷層２５と、前記検出用マーカー２１からなる第２印刷層２６とを印刷形成する。これら第１印刷層２５と第２印刷層２６とが重層する部分においては、第２印刷層２６が表面側に位置している。検出用マーカー２１を下地となる第１印刷層２５または被印刷媒体２３の地色と同色系であり、しかも赤外線吸収能を備えるインキによって印刷形成する。【選択図】図２
2005258987.tif 000002
【特許請求の範囲】
【請求項１】
被印刷媒体上に、手書き情報入力装置で筆記位置を特定するための多数個のドットからなる検出用マーカーを備える印刷体であって、
前記被印刷媒体上の所定位置には、絵柄や文字などの視覚認識情報を構成する第１印刷層と、前記検出用マーカーからなる第２印刷層とが印刷形成されており、これら第１印刷層と第２印刷層とが重層する部分においては、前記第２印刷層が表面側に位置しており、
前記検出用マーカーが、下地となる前記第１印刷層または前記被印刷媒体の地色と同色系であり、しかも赤外線吸収能を備えるインキによって印刷形成されたものであることを特徴とする手書き情報入力装置用の印刷体。
【請求項２】
前記インキが、酸化物微粒子と、該酸化物微粒子の表面を被覆するブラック系、シアン系、マゼンダ系およびイエロー系から選択される１種の顔料からなる呈色被覆層と、該呈色被覆層を被覆するフタロシアニン系、またはナフタロシアニン系有機赤外線吸収顔料からなる赤外線吸収層とで構成される複合顔料を含むものである請求項１記載の手書き情報入力装置用の印刷体。
【請求項３】
酸化物微粒子と、該酸化物微粒子の表面を被覆するブラック系、シアン系、マゼンダ系およびイエロー系から選択される１種の顔料からなる呈色被覆層と、該呈色被覆層を被覆するフタロシアニン系、またはナフタロシアニン系有機赤外線吸収顔料からなる赤外線吸収層とで構成されることを特徴とする複合顔料。
【発明の詳細な説明】
【技術分野】
【０００１】
本発明は、被印刷媒体上に、手書き情報入力装置による筆記位置特定用の多数個のドットからなる検出用マーカーを備える印刷体に関する。また本発明は、かかる印刷体の検出用マーカーの形成用インキとして用いられて好適な複合顔料に関する。
【背景技術】
【０００２】
特許文献１〜３には、筆記した文字や筆記方向などの筆記内容を、手書き情報入力装置のカメラ機能部で検出するための検出用マーカーが被印刷媒体上に予め印刷された用紙が開示されている。これら特許文献記載の用紙では、一定の大きさの黒色または濃青色の無数個のドットからなる検出用マーカーを被印刷媒体の全体又は所定部分に設けて、該ドットによる赤外線吸収を手書き情報入力装置のカメラ機能部で検知することで、ペンの位置を決定して、文字等の手書き情報を特定できるようにしている。また本発明は、無機粒子の表面を有機色素で被覆してなる複合顔料を含むインキを使って、検出用マーカーを形成するものであるが、このように無機粒子の表面を有機色素で被覆して複合色素を作製すること自体は特許文献４に公知である。
【０００３】
【特許文献１】特表２００３−５００７７７号公報（段落番号００８３−００８７、図３）
【特許文献２】特表２００３−５００７７８号公報（段落番号００５７−００５９、図１）
【特許文献３】特表２００３−５０３９０５号公報（段落番号００５０−００５１、図１）
【特許文献４】特開２００３−１０５２２９号公報（段落番号００１１−００２５）
【発明の開示】
【発明が解決しようとする課題】
【０００４】
前記検出用マーカーをこの種の用紙上に設ける場合、手書き情報入力装置のカメラ機能部による検出感度が良好に担保されることが重要となる。このため上記特許文献１〜３に係る用紙では、黒色又は濃青色系の染顔料を含んだ印刷インキを用いることにより、一定の大きさの黒色又は濃青色の無数個のドットからなる検出用マーカーを被印刷媒体の全体又は所定部分に設けて、該ドットによる赤外線吸収を手書き情報入力装置のカメラ機能部で検出することでペンの位置を決定しているが、黒色等の検出用マーカーが、異常に目立って筆記者に大きな違和感を与えるところに問題がある。とくに、カタログなどのように絵柄や文字などの入った印刷体上では、検出用マーカーが黒色系であるため、それが目立つと、書面全体の外観体裁が著しく損なわれてしまう。
【０００５】
かかる不具合を解決する手段としては、例えば図６に示すように、被印刷媒体２３上に多数個のドット２２からなる検出用マーカー２１を形成したのち、該検出用マーカー２１上に絵柄等に係る印刷層２５を形成することが考えられる。これによれば、絵柄や文字部分における検出用マーカー２１は表面に現出しないために目立たず、書面の外観体裁を良好に保つことができる。しかし、絵柄の下部に存するドット２２が、マーカーとして機能しないため、絵柄部分における手書き情報入力装置による検出感度が著しく不良となる不利がある。このため、検出用マーカー２１は絵柄や文字上に設けることが好ましい。
【０００６】
前記黒色系や濃青色系の染顔料に代えて、例えば茶色、暗緑色、灰色系の有機金属錯体染顔料を用いれば、絵柄等の上部に設けられたドットを目立たなくできると考える。しかし、これら染顔料を単独で用いた場合において、染顔料と絵柄の色が類似するときはよいが、絵柄の色がマーカーと異なる場合には、以前としてマーカーが目立って、用紙全体の外装体裁が損なわれる不利がある。例えば暗緑色の染顔料で赤系統の用紙上にマーカーを印刷すると、マーカーが暗く見えるため、外観の黒ずんだ用紙となってしまう。
【０００７】
これに対して、色材の三原色であるシアン、マゼンダ、イエロー系の染顔料を用いれば、これらの組み合わせによってあらゆる色を表現できるので、絵柄上にマーカーを目立たせずに印刷することが可能であると考える。しかし、現状ではこれら３色の染顔料で、９００ｎｍ付近に吸収能を示すものはない。
【０００８】
本発明の目的は、手書き情報入力装置のカメラ機能部で筆記内容を検出するための無数個のドットからなる検出用マーカーが印刷されている手書き情報入力装置用の印刷体において、手書き情報入力装置で正確に筆記位置を検出できるものでありながら、検出用マーカーを構成するドットが目立たず、被印刷媒体上に印刷された絵柄や文字などの視覚認識情報の意匠性、および当該情報の視認性を良好に確保できる、実用利便性に優れた手書き情報入力装置用の印刷体を提供することにある。本発明の目的は、当該印刷体の検出用マーカーの形成インキに用いられて好適な、複合顔料を得るにある。
【課題を解決するための手段】
【０００９】
本発明は、図２に示すごとく、被印刷媒体２３上に、手書き情報入力装置Ｐ（図３参照）で筆記位置を特定するための多数個のドット２２からなる検出用マーカー２１を備える印刷体２０を対象とする。図１に示すごとく、前記被印刷媒体２３上の所定位置には、絵柄や文字などの視覚認識情報を構成する第１印刷層２５と、前記検出用マーカー２１からなる第２印刷層２６とが印刷形成されており、これら第１印刷層２５と第２印刷層２６とが重層する部分においては、前記第２印刷層２６が表面側に位置している。そして、前記検出用マーカー２１が、下地となる前記第１印刷層２５または前記被印刷媒体２３の地色と同色系であり、しかも赤外線吸収能を備えるインキによって印刷形成されたものであることを特徴とする。
【００１０】
手書き情報入力装置Ｐの具体例としては、スウェーデンのアノト社が開発したデジタルペンを挙げることができる。図２に示すごとく、検出用マーカー２１は、多数個独立のドット２２からなるものであり、第２印刷層２６の上部を含む被印刷体２０の筆記可能な範囲全体に分散して配置される。これらドット２２は、予め定めた規則に従って配置されており、この配置関係から印刷体２０上での位置（座標）が特定される。つまり、印刷体２０上の位置を示すためのパターンにドット２２は形成される。かかるドットパターンの具体例としては、アノト社の規格による所謂アノト・パターンを挙げることができる。
【００１１】
検出用マーカー２１の形成方法としては、例えばオフセット印刷やスクリーン印刷など比較的大規模な方法や、インクジェットプリンター、レーザープリンターなど小型プリンターによる各種印刷方法を挙げることができる。なお、図２では、検出用マーカー２１を構成するドット２２はマトリクス状に配置されているが、これはアノト・パターンを模式的に示したものであり、実際のパターン配設はこれとは若干異なる。
【００１２】
検出用マーカー２１の形成インキは、図４に示すごとく、酸化物微粒子４０と、該酸化物微粒子４０の表面を被覆するブラック系、シアン系、マゼンダ系およびイエロー系から選択される１種の顔料からなる呈色被覆層４１と、該呈色被覆層４１を被覆するフタロシアニン系、またはナフタロシアニン系有機赤外線吸収顔料からなる赤外線吸収層４２とで構成される複合顔料４３を含むものとする。つまり、この複合顔料４３は、酸化物微粒子４０をコア材料として、その表面をブラック系、シアン系、マゼンダ系およびイエロー系のいずれかの顔料で被覆し、さらにその表面をフタロシアニン系、またはナフタロシアニン系有機赤外線吸収顔料で被覆している。
【００１３】
また本発明は、酸化物微粒子４０と、該酸化物微粒子４０の表面を被覆するブラック系、シアン系、マゼンダ系およびイエロー系から選択される１種の顔料からなる呈色被覆層４１と、該呈色被覆層４１を被覆するフタロシアニン系、またはナフタロシアニン系有機赤外線吸収顔料からなる赤外線吸収層４２とで構成される複合顔料４３である。
【００１４】
かかる酸化物微粒子４０の具体例としては、平均一次粒子径が２０〜３００ｎｍ程度である酸化鉄、酸化チタン、酸化亜鉛などの金属微粒子を挙げることができる。該酸化物微粒子４０を被覆する呈色被覆層４１を構成するブラック系の顔料としては天然ガスや残査油を燃焼して得られる各種カーボンブラックが、シアン系の顔料としては銅フタロシアニン系、アントラキノン系、インドフェノール系、インドナフトール系が、マゼンダ系の顔料としてはメチルキナクリンドン系、カーミン６Ｂ系、ベンゼンアゾ系、トリシアノスチリル系などが、イエロー系の顔料としてはジスアゾイエロー系、ビスベンズイミダゾロン系、ピリドンアゾ系、ジシアノスチリル系、キノフタロン系などがそれぞれあげられる。これらブラック、シアン、マゼンダ、イエロー系の顔料を酸化物微粒子の表面に被覆させて無機材料微粒子を作製する方法としては、ボールミルやジェットミル、ハイブリダイザー、メカノフュージョンなどの装置に、これら顔料を装填して衝撃力などで被覆させる機械的手法、カップリング剤などの薬品で化学修飾して結合させる化学的手法があげられる。また、無機材料微粒子の表面に近赤外線吸収顔料を被覆させて複合顔料を作製する方法も前記と同様の手法が好適に採用される。かかる無機材料微粒子に対する赤外線吸収顔料の好適な混合比率は、無機材料微粒子１００重量部に対して、赤外線吸収顔料５〜３０重量部程度である。
【００１５】
作製した複合顔料４３を用いて検出用マーカー２１を印刷するには、例えばオフセット印刷による場合は、前記複合顔料４３を酸化重合型樹脂やまたは紫外線重合樹脂などに加えて作製したインキを用いて行えばよい。またインキジェットプリンターで印刷する場合は、前記複合顔料４３を水やアルコールなどに加え、必要に応じて分散剤も添加してカートリッジに装填し、市販のインクジェットプリンターで実施すればよい。レーザープリンターで印刷する場合は、前記複合顔料４３に熱融着バインダー、電荷調整剤、離型剤等を必要に応じてそれぞれ加えてトナーカートリッジを作製し、市販のレーザープリンターで実施すればよい。
【発明の効果】
【００１６】
本発明においては、図１に示すごとく、絵柄や文字などの視覚認識情報を構成する第１印刷層２５と、前記検出用マーカー２１からなる第２印刷層２６とが重層する部分においては、第２印刷層２６が第１印刷層２５よりも表面側に位置するようにした。すなわち、絵柄等の上に検出用マーカー２１を設けた。これにより、図６に示す従来の印刷体のように、検出用マーカー２１が第１印刷層２５の下方に位置する形態では不可避であった、第１印刷層２５で覆われた検出用マーカー２１が手書き情報入力装置Ｐによる筆記位置の検出動作に供しないことに起因して検出感度が低下するような不具合を一掃できる。従って、当該印刷体２０は優れた検出感度を備えるものとなる。
【００１７】
加えて、検出用マーカー２１を、下地となる第１印刷層２５または被印刷媒体２３の地色と同色系のインキで形成してあると、絵柄や被印刷媒体２３上に印刷された検出用マーカー２１を目立たなくできるので、絵柄等の地色の色彩を良好に保ち、絵柄や文字などの視覚認識情報の意匠性、および当該情報の視認性を良好に確保できる。これは、本発明に係る印刷体２０を、図２に示すような路線図や図５に示すような注文書などのようなカラフルな印刷物に適用した場合に有用な作用効果である。また、当該インキは赤外線吸収能を備えるものであるから、カメラ機能部４での撮影画面を赤外線の吸収レベルに基づいて二値化することで、手書き情報入力装置Ｐによるドット２２の配置関係の読み取り動作を良好に確保できる。
【００１８】
シアン系、マゼンダ系およびイエロー系から選択される１種の顔料で呈色された三色の複合顔料４３を含む三色のインキを用いれば、これらインキの組み合わせによってあらゆる色を表現することができるので、絵柄や文字などの視覚認識情報となる第１印刷層２５上、および被印刷媒体２３上に、検出用マーカー２１を目立たせずに設けることができる。また、ブラック系の顔料で呈色された複合顔料を含むインキを用いれば、被印刷媒体２３上に多く存在する黒色文字などの表面に、上記の三色インキを用いることなく検出用マーカー２１を形成することができ、これはランニングコストの低減化に資する。また、フタロシアニン系やナフタロシアニン系有機赤外線吸収顔料といった、９００ｎｍ付近の近赤外線吸収能に優れた顔料で、呈色皮膜層４１を被覆することで、手書き情報入力装置によるドット２２の位置検出感度が良好に担保される。
【発明を実施するための最良の形態】
【００１９】
図１および図２に本発明に係る手書き情報入力装置用の印刷体を、図３に手書き情報入力装置を示す。図３において、手書き情報入力装置は、一般的なペンと同様の外形を有するケース１と、ケース１の先端部分に設けた筆記用のペン部２と、ケース１の先端に設けた開口３を介してペン部２の先端に臨むカメラ機能部４と、カメラ機能部４からの検出データ値などに基づいてペン部２での筆跡を判断するプロセッサ５と、筆跡データなどを記憶するメモリ６と、外部機器と通信する通信部７と、電源としての電池８などを備えている。電池８は、小型のリチウムイオン電池などが該当する。外部機器は、携帯情報端末（ＰＤＡ）やコンピュータや携帯電話などが該当する。
【００２０】
ペン部２は、ペン先および黒色系のインキなどを有しており、印刷体２０（図１および図２参照）上にチェックを入れるためのものである。ペン部２は、ペン圧を検出する加圧センサを備えており、このペン圧データをプロセッサ５に出力する。図２に示すごとく、印刷体２０には、カメラ機能部４で検出される検出用マーカー２１が印刷されている。
【００２１】
カメラ機能部４は、印刷体１１に向けて赤外線光を照射するＬＥＤを備える発光部９と、印刷体２０からの反射光を受けるＣＣＤやＣＭＯＳセンサなどの撮像素子１０とを備えており、印刷体２０に筆記している際に、ペン部２のペン先周辺に位置する検出用マーカー２１を検出する。通信部７は、電波や赤外線などで外部機器と通信するものであり、具体的にはＢｌｕｅｔｏｏｔｈトランシーバーである。プロセッサ５は、カメラ機能部４での撮影画面を赤外線の吸収レベルに基づいて二値化する。
【００２２】
図２に示すように、本実施形態における印刷体２０は電車の路線図であり、紙などの被印刷媒体２２を基体として、該被印刷媒体２２上に路線などを示す絵柄や駅名を示す文字などの視覚認識情報と、検出用マーカー２１とが印刷されている。詳しくは、被印刷媒体２２上の所定位置には、図１に示すように、絵柄や文字などの視覚認識情報を構成する第１印刷層２５と、検出用マーカー２１からなる第２印刷層２６とが印刷形成されている。ここでは、第１印刷層２５と第２印刷層２６とが重層する部分においては、第２印刷層２６、すなわち検出用マーカー２１が表面側に位置している点が着目される。
【００２３】
なお、図２において符号２７は、選択された駅前情報を見るときに、ペン部でチェックされるマジックボックスを、符号２９は、選択された二つの駅間の路線情報を検索するときにチェックされるマジックボックスを、符号３０は、確定用のマジックボックスを示す。以上のようなマジックボックス２７・２９・３０を備える印刷体２０の使用方法については、後に詳述する。
【００２４】
検出用マーカーは、図２に示すごとく、独立多数のドット２２からなり、被印刷媒体２３の筆記可能な範囲内に分散して配置される。各ドット２２は、手書き情報入力装置の製造メーカーであるアノト社により定められたパターン（アノト・パターン）に従って配置されており、これらドット２２の配置関係から被印刷媒体２３上での位置（座標）が特定される。つまり、検出用マーカー２１は、被印刷媒体２３の位置を示すためのパターンに形成されていて、手書き情報入力装置のペン部２で書き込みがなされると、カメラ機能部４が書き込み部分に係るドット２２を読み取り、該カメラ機能部４で得られたドット２２の情報に基づいて、被印刷媒体２３上における書き込み位置およびペン先の動きが読み取られる。なお、各ドット２２の径寸法は、１００μｍ程度である。
【００２５】
検出用マーカー２１の存在によって、印刷体２０全体の外観体裁が損われることを防ぐため、検出用マーカー２１は、その下方に存する第１印刷層２５または被印刷媒体２３の地色と同色系のインキによって印刷形成してある。つまり、例えば白色系の被印刷媒体２３上に設けられた検出用マーカー２１は白色系インキで、赤色系の第１印刷層２５上に設けられた検出用マーカー２１は赤色系インキを用いて形成してある。これにて被印刷媒体２３や第１印刷層２５上に形成された検出用マーカー２１を目立たなくして、印刷体２０全体の外観体裁の向上を図ることができる。
【００２６】
具体的には、Ｌ* ａ* ｂ* 表色系を用いて検出用マーカー２１の印刷部分と、その下方に存する第１印刷層２５または被印刷媒体２３との色差△Ｅ* ab（ｐ−ｐ）を数値化した場合、色差△Ｅ* ab（ｐ−ｐ）が６０以下であれば、検出用マーカー２１のドット２２を一様に目立たなくでき、これにて絵柄や文字が汚れて見えるという筆記者の違和感を緩和できる。さらに、色差△Ｅ* ab（ｐ−ｐ）を３０以下とすれば、検出用マーカー２１のドット２２は完全に見えなくなり、筆記者の受ける違和感は皆無となる。すなわち、本発明における「第１印刷層または被印刷媒体の地色と同色系のインキ」とは、Ｌ* ａ* ｂ* 表色系で色差△Ｅ* ab（ｐ−ｐ）が６０以下、より好ましくは３０以下であることを意味する。
【００２７】
また、当該インキは赤外線吸収能を備えるものとしてあり、これにてカメラ機能部４での撮影画面を赤外線の吸収レベルに基づいて二値化することで、ドット２２の配置関係を正確に読み取ることができる。
【００２８】
具体的には、検出用マーカー２１の形成用インキは、図４に示すように、酸化鉄粒子４０と、該酸化物微粒子４０の表面を被覆する呈色皮膜層４１と、該呈色皮膜層４１を被覆する赤外線吸収層４２とで構成される複合顔料４３を含むものとする。呈色皮膜層４１を構成する顔料としては、ブラック系、シアン系、マゼンダ系、およびイエロー系から選択される１種とする。赤外線吸収層４２を構成する顔料としては、フタロシアニン系、またはナフタロシアニン系有機赤外線吸収顔料とする。
【００２９】
このようにシアン系、マゼンダ系およびイエロー系から選択される１種の顔料で呈色された三色の複合顔料４３を含む三色のインキを用いれば、これらインキの組み合わせによってあらゆる色を表現することができるので、絵柄や文字などの視覚認識情報となる第１印刷層２５上、および被印刷媒体２３上に、検出用マーカー２１を目立たせずに設けることができる。また、ブラック系の顔料で呈色された複合顔料を含むインキを用いれば、被印刷媒体２３上に多く存在する黒色文字などの表面に、上記の三色インキを用いることなく検出用マーカー２１を形成することができ、これはランニングコストの低減化に資する。また、フタロシアニン系やナフタロシアニン系有機赤外線吸収顔料といった、９００ｎｍ付近の近赤外線吸収能に優れた顔料で、呈色皮膜層４１を被覆することで、手書き情報入力装置によるドット２２の位置検出感度が良好に担保される。
【００３０】
なお、絵柄および文字となる第１印刷層２５は、特に９００ｎｍ付近の近赤外線を吸収しない染顔料インキで形成することが望ましい。これは絵柄等が赤外線吸収染顔料を含みインキで印刷されると、手書き情報入力装置が絵柄等をドットと認識して誤動作を起こすおそれがあることに拠る。
【００３１】
この印刷体２０である地下鉄路線図は、以下のようにして使用される。例えばユーザーがＡ駅とＺ駅との間の乗り換え情報を検索する場合には、手書き情報入力装置を操作して、ペン部２でＡ駅とＺ駅を示す四角枠内にチェックを入れる。続いてペン部２で路線検索に係るマジックボックス２９、最後に確定用のマジックボックス３０にチェックを入れる。これら路線図上におけるチェック動作、およびマジックボックス２９・３０における各チェック動作は、印刷体２０上に形成された検出用マーカー１４を介して、手書き情報入力装置で認識される。最後の確定用のマジックボックス３０のチャック動作を検知すると、手書き情報入力装置はＡ駅およびＺ駅が選択されたこと、両駅間の路線検索が指示されたことをノート型パソコンなどの情報端末に送信する。これにて情報端末はブラウザを立ち上げてインターネットに接続し、予め指定されたホームページで指定された路線検索動作を実行し、その検索結果を端末の画面上に表示する。
【００３２】
図５は、本発明の別実施形態を示しており、そこでは印刷体２０を注文書に適用している。かかる注文書には、注文商品名をチェックするためのマジックボックス３２と、注文数量をチェックするためのマジックボックス３３と、注文内容を確定するためのマジックボックス３４などが印刷形成されている。当該印刷体２０の全面には、検出用マーカー２１（図１参照）が印刷形成されている。
【実施例】
【００３３】
以下、実施例をあげて本発明をより具体的に説明する。
市販のインクジェットプリンター（エプソン社製、ＰＭ−８００Ｃ）で、Ａ４サイズの白色上質紙に、東京都の地下鉄路線図を地下鉄の路線毎に色分けして印刷した。つぎに、平均一次粒子径が２００ｎｍの酸化チタン微粒子９５重量部と、アセチレンブラック５重量部とを、メカノフュージョン装置（ホソカワミクロン社製）に装填し、３００ｒｐｍで１時間、衝撃処理をしてアセチレンブラックを５重量パーセント被覆したブラック系無機材料微粒子を作成した。同様に、前記酸化チタンに銅フタロシアニンブルーを５重量％被覆したシアン系無機材料微粒子、前記酸化チタンにブリリアントカーミン６Ｂを５重量％被覆したマゼンダ系無機材料微粒子、前記酸化チタンにジスアゾイエローＡＡＡを５重量％被覆したイエロー系無機材料微粒子をそれぞれ作製した。これら４種の無機材料微粒子のそれぞれに、８５０ｎｍ付近に吸収波長を示すフタロシアニングリーン顔料を前述と同様の手法で１０重量パーセント被覆して、ブラック、シアン、マゼンダ、イエローの４種類の複合顔料を得た。
【００３４】
これら複合顔料をイソプロピルアルコールにそれぞれ分散させ、ブラック、シアン、マゼンダ、イエローの４種類のインクジェットプリンター用の複合顔料インキを作成した。これらインキを市販のインクジェットプリンター（Ｓｃｉｔｅｘ社製、６２４０型）に装填し、前述の地下鉄路線図を印刷した用紙に路線図の各色に合わせて、路線検索と駅前地図検索機能を付与したアノト・パターンを印刷した。
【００３５】
アノト社の規格に準じて製造された日立マクセル社製のデジタルペン（ＤＰ−１０１Ｕ）にて、駅名部分と、駅前地図検索のマジックボックスとをチェック（レ点を記す）した。ＵＳＢケーブルでペンをパーソナルコンピューターに接続すると、ホームページが立ち上がって所望の駅前地図が画面上に現れた。以下、１０箇所の駅について同様の操作をしたところ、誤動作はまったくなかった。
【図面の簡単な説明】
【００３６】
【図１】本発明に係る印刷体の構成を示す縦断側面図
【図２】本発明に係る印刷体を適用した地下鉄路線図の平面図
【図３】手書き情報入力装置の概略構成図
【図４】複合色素の構成図
【図５】本発明に係る印刷体を適用した注文書の平面図
【図６】従来の印刷体の構成を模式的に示す縦断側面図
【符号の説明】
【００３７】
２０  印刷体
２１  検出用マーカー
２２  ドット
２３  被印刷媒体
２５  第１印刷層
２６  第２印刷層
Ｐ  手書き情報入力装置
【図１】
2005258987.tif 000003
【図２】
2005258987.tif 000004
【図３】
2005258987.tif 000005
【図４】
2005258987.tif 000006
【図５】
2005258987.tif 000007
【図６】
2005258987.tif 000008